(57)【要約】      （修正有）【課題】乗換経路情報に関連づけて最適なＰＯＩを検索してユーザに提供可能な情報処理システム、情報処理プログラム、情報処理装置、および情報処理方法を提供する、【解決手段】情報処理システム１は、少なくとも公共交通機関を利用した乗換経路情報を取得する経路情報取得部１５と、乗換経路情報に基づいて、ＰＯＩ（Ｐｏｉｎｔ  Ｏｆ  Ｉｎｔｅｒｅｓｔ）を検索するべき対象箇所を決定するＰＯＩ検索箇所決定部１６と、所定の条件に基づいて、対象箇所および／またはその周辺におけるＰＯＩを検索するＰＯＩ検索部２４と、検索されたＰＯＩを含む出力情報を生成する出力情報生成部２５と、を備える。【選択図】図１
2020098215.tif 000002
【特許請求の範囲】
【請求項１】
少なくとも公共交通機関を利用した乗換経路情報を取得する経路情報取得手段と、
前記乗換経路情報に基づいて、ＰＯＩ（Point Of Interest）を検索するべき対象箇所を決定するＰＯＩ検索箇所決定手段と、
所定の条件に基づいて、前記対象箇所および／またはその周辺における前記ＰＯＩを検索するＰＯＩ検索手段と、
検索された前記ＰＯＩを含む出力情報を生成する出力情報生成手段と、を備えたことを特徴とする情報処理システム。
【請求項２】
前記出力情報生成手段は、前記乗換経路情報に含まれる目的地までの到着時間のずれが少ない順と、目的地までの運賃が安い順と、乗換回数の少ない順と、現在時刻および開業時間を考慮に入れた順と、の少なくとも一つ又はその組み合わせであることを特徴とする請求項１に記載の情報処理システム。
【請求項３】
前記出力情報生成手段は、前記ＰＯＩ検索手段で検索された前記ＰＯＩを、優先度に基づいて表示形態を相違させた前記出力情報を生成することを特徴とする請求項１または２に記載の情報処理システム。
【請求項４】
前記表示形態の相違は、表示サイズの変更、表示装飾の変更、表示色の変更、および特定の指標の追加表示の少なくとも一つを含むことを特徴とする請求項１乃至３のいずれかに記載の情報処理システム。
【請求項５】
前記対象箇所は、前記取得した乗換経路情報に含まれるステーションと、前記取得した乗換経路情報に含まれるステーションのうち主要なステーションと、ユーザが所持する定期区間内のステーションと、前記取得した乗換経路情報に含まれるステーションのうちユーザが乗り換えるステーションと、前記乗換経路情報で利用される特定の乗物の内部との少なくとも一つを含むことを特徴とする請求項１乃至４のいずれかに記載の情報処理システム。
【請求項６】
前記ＰＯＩ検索手段は、前記取得した乗換経路情報に含まれる経路から所定距離内の前記ＰＯＩと、前記取得した乗換経路情報に含まれる経路に所定時間以内に戻れる前記ＰＯＩとの少なくとも一方を検索することを特徴とする請求項１乃至５のいずれかに記載の情報処理システム。
【請求項７】
前記所定の条件を指定するＰＯＩ検索条件指定手段と、
前記所定の条件の複数の候補を表示する候補表示部と、
前記複数の候補の中から少なくとも一つをユーザに選択させる候補選択手段と、を備え、
前記ＰＯＩ検索条件指定手段は、前記候補選択部で選択された候補に基づいて前記所定の条件を指定することを特徴とする請求項１乃至６のいずれかに記載の情報処理システム。
【請求項８】
前記取得した乗換経路情報に関連した経路関連情報を生成する経路関連情報生成手段を備え、
前記出力情報生成手段は、前記経路関連情報を含む前記出力情報を生成し、
前記ＰＯＩ検索条件指定手段は、ユーザが前記出力情報に含まれる前記経路関連情報を選択すると、当該経路関連情報に基づいて前記所定の条件を指定することを特徴とする請求項７に記載の情報処理システム。
【請求項９】
前記所定の条件を指定するＰＯＩ検索条件指定手段と、
個々のユーザの行動履歴を蓄積する行動履歴蓄積部と、を備え、
前記ＰＯＩ検索条件指定手段は、前記蓄積された行動履歴に基づいて、前記所定の条件を指定することを特徴とする請求項１乃至６のいずれかに記載の情報処理システム。
【請求項１０】
前記ＰＯＩ検索手段にて検索されたＰＯＩに立ち寄った場合の立ち寄り経路情報を生成する立ち寄り経路情報生成手段を備え、
前記経路情報取得手段は、前記乗換経路情報に加えて、前記立ち寄り経路情報を取得することを特徴とする請求項１乃至９のいずれかに記載の情報処理システム。
【請求項１１】
前記立ち寄り経路情報生成手段は、前記乗換経路情報との間で、到着時刻および運賃のうち少なくとも一つが所定値以下となる前記立ち寄り経路情報を生成することを特徴とする請求項１０に記載の情報処理システム。
【請求項１２】
コンピュータを、
少なくとも公共交通機関を利用した乗換経路情報を取得する経路情報取得手段、
前記乗換経路情報に基づいて、ＰＯＩ（Point Of Interest）を検索するべき対象箇所を決定するＰＯＩ検索箇所決定手段、
所定の条件に基づいて、前記対象箇所および／またはその周辺における前記ＰＯＩを検索するＰＯＩ検索手段、
及び検索された前記ＰＯＩを含む出力情報を生成する出力情報生成手段として機能させるための情報処理プログラム。
【請求項１３】
通信可能に接続された複数の情報処理装置によって、請求項１〜１１のいずれかに記載の情報処理システムを機能させるために、
上記情報処理装置のうちの１つを請求項１〜１１のいずれかに記載の情報処理システムにおける各手段の少なくとも１つとして機能させるための情報処理プログラム。
【請求項１４】
コンピュータを、請求項１〜１１のいずれかに記載の情報処理システムにおける各手段の少なくとも１つとして機能させるための情報処理プログラム。
【請求項１５】
通信可能に接続された複数の情報処理装置によって、
少なくとも公共交通機関を利用した乗換経路情報を取得する経路情報取得手段と、
前記乗換経路情報に基づいて、ＰＯＩ（Point Of Interest）を検索するべき対象箇所を決定するＰＯＩ検索箇所決定手段と、
所定の条件に基づいて、前記対象箇所および／またはその周辺における前記ＰＯＩを検索するＰＯＩ検索手段と、
検索された前記ＰＯＩを含む出力情報を生成する出力情報生成手段と、
を備えた情報処理システムを構成するために、
上記手段の少なくとも一つを備えたことを特徴とする情報処理装置。
【請求項１６】
少なくとも公共交通機関を利用した乗換経路情報を取得するステップと、
前記乗換経路情報に基づいて、ＰＯＩ（Point Of Interest）を検索するべき対象箇所を決定するステップと、
所定の条件に基づいて、前記対象箇所および／またはその周辺における前記ＰＯＩを検索するステップと、
検索された前記ＰＯＩを含む出力情報を生成するステップと、を備えたことを特徴とする情報処理方法。
【請求項１７】
少なくとも公共交通機関を利用した乗換経路情報を生成する経路探索手段と、
前記乗換経路情報に基づいて決定されたＰＯＩ（Point Of Interest）を検索するべき対象箇所および／またはその周辺における前記ＰＯＩを所定の条件に基づいて検索するＰＯＩ検索手段と、
検索された前記ＰＯＩを含む出力情報を生成する出力情報生成手段と、
前記経路情報および前記出力情報を端末装置に送信する通信手段と、
を備えたことを特徴とする情報処理装置。
【発明の詳細な説明】
【技術分野】
【０００１】
本発明は、情報処理システム、情報処理プログラム、情報処理装置、および情報処理方法に関する。
【背景技術】
【０００２】
経路探索を行った推奨経路の周辺に位置するＰＯＩ（Point Of Interest）を検索して表示する機能を持った装置が知られている（特許文献１参照）。また、次に到着する駅に関連づけられた案内情報をその内容に応じた表示形態で表示するシステムが知られている（特許文献２参照）。ＰＯＩは、ユーザが関心を持っている特定の場所や乗物等であり、周辺情報とも呼ばれる。特許文献１，２に開示された装置やシステムでは、推奨経路や進行経路上の特定の地点の周辺情報を検索して表示することを念頭に置いている。
【先行技術文献】
【特許文献】
【０００３】
【特許文献１】特開２００８−２０９１６４号公報
【特許文献２】特開２０１３−２３８９８０号公報
【発明の概要】
【発明が解決しようとする課題】
【０００４】
しかしながら、推奨経路や進行経路の周囲に複数のＰＯＩが存在する場合に、どのＰＯＩがユーザにとって最も望ましいかを示す情報を提供する仕組みは特許文献１，２のいずれにも開示されていない。したがって、ユーザにとってより望ましいＰＯＩが存在するにもかかわらず、最適とはいえないＰＯＩの情報しかユーザに提供されず、その結果、ユーザは適切なＰＯＩを選択できない場合もある。特に、ユーザが推奨経路上で公共交通機関の乗換を行う場合、乗換を行う際にユーザは必ず乗物から降車するため、乗換を行う駅等についてのＰＯＩの情報をユーザに提供できれば、ユーザにとっても利便性が高いが、乗換経路情報に関連づけてＰＯＩを提供するサービスは従来行われていなかった。
【０００５】
本発明が解決しようとする課題は、乗換経路情報に関連づけて最適なＰＯＩを検索してユーザに提供可能な情報処理システム、情報処理プログラム、情報処理装置、および情報処理方法を提供することである。
【課題を解決するための手段】
【０００６】
本発明の一態様によれば、少なくとも公共交通機関を利用した乗換経路情報を取得する経路情報取得手段と、
前記乗換経路情報に基づいて、ＰＯＩを検索するべき対象箇所を決定するＰＯＩ検索箇所決定手段と、
所定の条件に基づいて、前記対象箇所および／またはその周辺における前記ＰＯＩを検索するＰＯＩ検索手段と、
検索された前記ＰＯＩを含む出力情報を生成する出力情報生成手段と、を備えたことを特徴とする情報処理システムが提供される。
【発明の効果】
【０００７】
本発明によれば、乗換経路情報に関連づけて最適なＰＯＩを検索してユーザに提供できる。
【図面の簡単な説明】
【０００８】
【図１】本発明の第１の実施形態に係る情報処理システム１の概略的な構成を示すブロック図。
【図２】第１の実施形態による情報処理システム１の処理手順を示すフローチャート。
【図３】ＰＯＩ検索箇所決定部１６が対象箇所を決定する具体例を示す図。
【図４】端末装置２の表示画面に表示される出力情報の一例を示す図。
【図５】図４とは表示形態を変えた例を示す図。
【図６】本発明の第２の実施形態による情報処理システム１の概略構成を示すブロック図。
【図７】ＰＯＩ検索条件指定部２０の具体例を示す図。
【図８】本発明の第３の実施形態による情報処理システム１の概略構成を示すブロック図。
【図９】端末装置２における広告情報を含む経路情報の表示画面例を示す図。
【図１０】図９の広告情報４０をユーザがタッチした後に端末装置２の表示画面に表示される出力情報の一例を示す図。
【図１１】本発明の第４の実施形態による情報処理システム１の概略構成を示すブロック図。
【図１２】第４の実施形態による情報処理システム１の処理動作を示すフローチャート。
【図１３】図２にＰＯＩに立ち寄った場合の経路情報の生成と提供の処理を追加したフローチャート。
【発明を実施するための形態】
【０００９】
以下、本発明の実施の形態について、図面を参照しながら詳細に説明する。
【００１０】
（第１の実施形態）
図１は本発明の第１の実施形態に係る情報処理システム１の概略的な構成を示すブロック図である。図１の情報処理システム１は、端末装置２およびサーバ３を備えている。端末装置２とサーバ３とは、ネットワーク４を介して互いに通信可能に接続されている。
【００１１】
なお、端末装置２およびサーバ３の少なくとも一部の機能は、コンピュータにより実行するようにしてもよい。また、ネットワーク４は、有線回線および無線回線のいずれでもよく、回線の種類や形態は問わない。
【００１２】
まず、端末装置２について説明する。端末装置２は、ユーザが使用するものであり、例えば、携帯電話、スマートフォンまたはタブレット端末等のモバイル電子機器である。
【００１３】
端末装置２は、図１に示すように、通信部１１と、操作入力部１２と、出力部１３と、測位部１４と、経路情報取得部１５と、ＰＯＩ検索箇所決定部１６と、制御部１７とを有する。
【００１４】
通信部１１は、ネットワーク４を介して制御部１７とサーバ３との間で情報を送受信するための通信インターフェース部である。
【００１５】
操作入力部１２は、ユーザが端末装置２に操作（情報）を入力するためのインターフェースであり、例えば内蔵マイクロフォン、タッチパネル、キーボード等である。ユーザは、例えば、タッチパネルやキーボード等を操作して各種情報を入力してもよいし、あるいは内蔵マイクロフォンを介して各種情報を音声入力してもよい。操作入力部１２にてユーザが入力する情報には、後述する移動状況情報が含まれていてもよい。
【００１６】
出力部１３は、ユーザに対して各種情報を出力する。この出力部１３は、例えば、液晶ディスプレイ等の映像表示手段でもよいし、スピーカやイヤホン等の音声出力手段でもよい。なお、操作入力部１２がタッチパネルの場合には、操作入力部１２が出力部１３を兼ねてもよい。出力部１３が出力する情報には、後述するサーバ３が生成した出力情報も含まれる。
【００１７】
測位部１４は、ユーザ（端末装置２）の現在位置を測定する。この測位部１４は、例えば、ＧＰＳ（Global Positioning System）衛星からの信号を受信してユーザ（端末装置２）の絶対位置を測定する。あるいは、測位部１４は、ＷｉＦｉ測位のように、アクセスポイントからの電波を受信して測位を行ってもよい。また、ＧＰＳ衛星からの信号とアクセスポイントからの電波とを共に利用して測位を行ってもよい。
【００１８】
経路情報取得部１５は、ユーザが操作入力部１２にて入力した情報に基づいて、ユーザの要求に基づく経路を取得するか、あるいは、Ｍｙルートとして事前に登録された経路の中から任意の経路を取得する。ユーザの要求に基づく経路は、より具体的には、ユーザが指定した出発地から目的地までの推奨経路である。推奨経路の検索処理は、端末装置２で行ってもよいし、サーバ３で行ってもよい。サーバ３で行う場合、ユーザが端末装置２の操作入力部１２で入力した出発地と目的地の情報を通信部１１を介してサーバ３に送信し、これら出発地と目的地の情報を用いてサーバ３内で推奨経路を検索する。サーバ３は、検索された推奨経路を含む経路情報を端末装置２に送信し、経路情報取得部１５がこの経路情報を取得する。経路情報取得部１５が取得する経路情報には、少なくとも公共交通機関を利用した乗換経路情報が含まれている。若しくは経路情報取得部１５が取得する経路情報は、推奨経路の中から乗換経路区間のみの情報を取得してもよい。以下では、サーバ３側で推奨経路の探索処理を行う例を説明する。
【００１９】
ＰＯＩ検索箇所決定部１６は、経路取得部が取得した乗換経路情報に基づいて、ＰＯＩ（Point Of Interest）を検索するべき対象箇所を決定する。ここで、本実施形態におけるＰＯＩとは、推奨経路の周辺にあるユーザが関心を持っている店舗や施設などである。
ＰＯＩは、推奨経路上の特定の場所の周辺と推奨経路上でユーザが利用する乗物の内部との少なくとも一方に存在する可能性がある。ＰＯＩになりうる候補は多くなることが予想されることから、ＰＯＩの検索範囲をある程度限定するために、ＰＯＩ検索箇所決定部１６は、ＰＯＩを検索するべき対象箇所を予め決定する。対象箇所は、推奨経路上の乗換を行う乗換ステーションを含んでいる。この他、推奨経路上の特定の場所の周辺と推奨経路上でユーザが利用する乗物の内部との少なくとも一方を対象箇所に含めてもよい。ＰＯＩ検索箇所決定部１６が決定した対象箇所の情報は、通信部１１を介してサーバ３に送信される。後述するように、サーバ３は、ＰＯＩ検索箇所決定部１６が決定した対象箇所および／またはその周辺についてＰＯＩを検索する処理を行う。
【００２０】
この他、ＰＯＩ検索箇所決定部１６により決定される対象箇所は、例えば、推奨経路上の各ステーションでもよい。あるいは、推奨経路上のユーザの定期券区間内の各ステーションを対象箇所としてもよい。あるいは、推奨経路上の主要ステーションを対象箇所としてもよい。推奨経路が長い場合は、ＰＯＩ検索箇所決定部１６でＰＯＩ検索を行う対象箇所を制限することで、ＰＯＩの検索に要する時間を短縮できる。
【００２１】
なお、本明細書における「ステーション」は、交通機関が乗客を乗り降りさせるために停留する場所を意味し、例えば、交通機関が列車の場合には駅、交通機関がバスの場合には停留所、交通機関が船の場合には港、交通機関が飛行機の場合には空港、交通機関がタクシーの場合はタクシー乗り場をそれぞれ意味する。
【００２２】
ＰＯＩ検索箇所決定部１６は、ユーザが操作入力部１２を介して入力した情報に基づいて対象箇所を決定してもよいし、対象箇所のいくつかの候補を端末装置２の表示画面に表示させ、その中から一つをユーザに選択させてもよい。あるいは、ＰＯＩ検索箇所決定部１６は、推奨経路上の各ステーションや乗換ステーション、または定期券区間内の各ステーションなどを自動的に対象箇所として決定してもよい。
【００２３】
制御部１７は、端末装置２内の各部の動作を制御する。すなわち、制御部１７は、ユーザが操作入力部１２で入力した情報を通信部１１を介してサーバ３に送信する制御と、サーバ３から通信部２１を介して送信された情報を受信する制御とを行い、サーバ３から送信された推奨経路の情報を経路情報取得部１５に送信し、サーバ３から送信された出力情報を出力部１３に送信する。また、制御部１７は、ＰＯＩ検索箇所決定部１６が決定した対象箇所の情報を通信部１１を介してサーバ３に送信する制御も行う。
【００２４】
次に、サーバ３の構成について説明する。サーバ３は、通信部２１と、記憶部２２と、経路探索部２３と、ＰＯＩ検索部２４と、出力情報生成部２５と、制御部２６とを有する。
通信部２１は、ネットワーク４を介して端末装置２との間で情報を送受信する通信インターフェース部である。
【００２５】
記憶部２２は、地図データベース２７と、交通関連情報データベース２８とを有する。
【００２６】
地図データベース２７は、交通機関のステーションの位置情報、およびステーションを通る路線の情報を格納したデータベースである。なお、ステーションの位置情報と、ステーションを通る路線の情報とがそれぞれ異なるデータベースに格納されていてもよい。
【００２７】
交通関連情報データベース２８は、交通関連情報を格納したデータベースである。この交通関連情報データベース２８は、例えば、ステーションおよび路線ごとの時刻表、ステーションごとの混雑情報、および、路線ごとの運行情報のうち少なくとも一つを有している。
【００２８】
経路探索部２３は、端末装置２から送信された、出発地、目的地、経由地、出発時刻、到着時刻、使用する交通機関などの経路探索条件に基づいて経路探索を行って推奨経路を検出する。経路探索部２３は、公共交通機関の経路だけでなく、徒歩や自転車、自家用車、タクシーなどの経路も含めた推奨経路を探索してもよい。また、経路探索部２３は、推奨経路の他に、一つ以上の代替経路を検索してもよい。経路探索部２３が検索した推奨経路を含む経路情報は、通信部２１を介して端末装置２に送信される。
【００２９】
ＰＯＩ検索部２４は、所定の条件に基づいてＰＯＩ候補からＰＯＩを検索する。所定の条件とは、後述する他の実施形態で詳細に説明するように、ユーザが指定する条件でもよいし、ユーザの行動履歴に基づいて自動的に選択される条件でもよいし、予めサーバ３によって指定される条件でもよい。
【００３０】
ＰＯＩ検索部２４は、特定の施設名（例えば、港区中央郵便局）や乗物名（例えば、ある特急列車の特定号車番号名）をＰＯＩとして検索してもよいし、チェーン店の名称（例えば、あるハンバーガーチェーンの名称）や路線名（例えば、ある特定の路線名）などの総称名をＰＯＩとして検索してもよいし、さらに上位概念的なカテゴリ名（例えば、喫茶店やガソリンスタンド）をＰＯＩとして検索してもよい。
【００３１】
図２は第１の実施形態による情報処理システム１の処理手順を示すフローチャートである。図２の処理は、端末装置２のユーザが操作入力部１２にて経路探索の条件を入力することで開始される（ステップＳ１）。ユーザが入力する経路探索の条件は、出発地、現在地、経由地、出発時刻、到着時刻などである。出発地を現在地とする場合は、測位部１４で計測した現在位置を用いてもよい。
【００３２】
ユーザが入力した経路探索の条件は、経路探索要求に含められて通信部２１を介してサーバ３に送信される（ステップＳ２）。経路探索の条件を受信したサーバ３内の経路探索部２３は、経路探索を行って、推奨経路を含む経路情報を生成する（ステップＳ３）。経路探索には、必要に応じて、地図データベースや交通関連情報データベースが用いられる。サーバ３内の通信部２１は、推奨経路を含む経路情報を端末装置２に送信する（ステップＳ４）。この経路情報を受信した端末装置２の出力部１３は、経路情報を推奨経路とともに表示画面に表示する（ステップＳ５）。
【００３３】
その後、端末装置２のユーザは、操作入力部１２を介して適当なタイミングでＰＯＩ検索を指定する（ステップＳ６）。ステップＳ６を行うとき、あるいはそれ以前に、ＰＯＩ検索箇所決定部１６は、ＰＯＩ検索を行うべき対象箇所の決定を行う。
【００３４】
図３はＰＯＩ検索箇所決定部１６が対象箇所を決定する具体例を示す図である。図３は端末装置２の表示画面内に、ＰＯＩ検索を行うべき対象箇所の候補を３つ表示する例を示している。図３の例では、対象箇所の候補として、全駅検索のボタンＢ１と、乗換駅検索のボタンＢ２と、定期区間検索のボタンＢ３との３つを示している。ユーザがこれら３つの候補のボタンＢ１〜Ｂ３のいずれか一つを選択すると、選択した候補が、ＰＯＩ検索を行うべき対象箇所として決定される。
【００３５】
なお、全駅検索とは、経路情報取得部１５が取得した経路情報に含まれる推奨経路上の全駅を対象としてＰＯＩの検索を行う趣旨である。乗換駅検索とは、推奨経路上の乗換駅すべてを対象としてＰＯＩの検索を行う趣旨である。定期区間検索とは、推奨経路上のユーザの定期券区間のすべてを対象としてＰＯＩの検索を行う趣旨である。乗換駅検索を設けたのは、ユーザは乗換駅で乗物から降車して別の乗物に乗車することから、乗り換える合間にＰＯＩに立ち寄ることはユーザにとってそれほど負担にならないと考えられるためである。また、定期区間検索を設けたのは、ユーザの定期券の区間内であれば、乗り降りに追加の運賃が発生しないためである。
【００３６】
ユーザがステップＳ６でＰＯＩ検索を指定すると、通信部２１を介してサーバ３に、ＰＯＩ検索要求が送信される（ステップＳ７）。サーバ３内のＰＯＩ検索部２４は、ＰＯＩ検索要求が受信されると、ＰＯＩ検索箇所決定部１６が決定した対象箇所におけるＰＯＩを検索するＰＯＩ検索処理を行う（ステップＳ８）。ＰＯＩを検索するための条件は、上述したように、種々の条件が考えられ、どれを採用しても構わない。
【００３７】
ＰＯＩ検索部２４による検索処理が終了すると、出力情報生成部２５は、検索されたＰＯＩの並び替えや絞り込みの処理などを行って、ＰＯＩを含む出力情報を生成する（ステップＳ９）。
【００３８】
ＰＯＩ検索部２４で検索されたＰＯＩが複数ある場合、出力情報生成部２５は、経路探索部２３による経路探索の結果を参照して、目的地への到着時刻、目的地までの乗り換えステーションの有無、および改札内の施設情報などを把握して、例えば、ＰＯＩに立ち寄った場合に目的地への到着時刻とのずれが少ないと見込まれる順に各ＰＯＩを並び替える。また、ユーザの顧客情報が事前にサーバ３に登録されている場合には、その顧客情報を参照して、ユーザの定期券区間を取得して、定期券区間と乗り換えステーションの構内のＰＯＩのみに絞り込んで、ＰＯＩを抽出してもよい。また、ユーザから単にＰＯＩの検索要求だけがあった場合は、各ＰＯＩに立ち寄った場合に目的地への到着時刻とのずれが小さいと見込まれる順に各ＰＯＩを並び替えてもよい。また、推奨経路上の各ステーションのリストをユーザに提示し、その中からユーザが選択したステーションの周辺のＰＯＩの中から、さらにユーザにＰＯＩのカテゴリを選択させることで、ＰＯＩを絞り込んでもよい。
【００３９】
出力情報生成部２５は、上述した手法、あるいは他の手法により、ＰＯＩの並び替えと絞り込みを行って、ＰＯＩを含む出力情報を生成する。生成された出力情報は、通信部２１を介して端末装置２に送信される（ステップＳ１０）。端末装置２の出力部１３は、受信された出力情報を表示画面に表示させる（ステップＳ１１）。
【００４０】
ステップＳ１１で、端末装置２の表示画面に表示される出力情報は、経路情報とは別個の画面として表示されてもよいし、経路情報の上に重畳して表示されてもよい。端末装置２の表示画面に表示される出力情報は、検索されたＰＯＩを優先度順に並べたものを含んでいてもよい。優先度順は、目的地までの到着時間のずれが少ない順と、目的地までの運賃が安い順と、乗換回数の少ない順と、現在時刻およびＰＯＩの開業時間もしくは営業時間を考慮に入れた順との少なくとも一つであってもよいし、その他の優先度順であってもよい。
【００４１】
図４は端末装置２の表示画面に表示される出力情報の一例を示す図である。図４は推奨経路上の最寄り駅からの距離が短い順に複数のＰＯＩを周辺スポットとしてリスト形式で並べて表示する例を示している。図４では、ＰＯＩとして金融機関を指定した例を示している。図４の表示画面上の最上位行が最短の距離に位置するＰＯＩを示し、画面の下方に向かうに従って距離が長いＰＯＩを示している。
【００４２】
図４では、各行の右側に最寄り駅からの距離を数値で示しており、この数値を見れば、ユーザは各ＰＯＩに到達するまでの時間を推測できるが、距離を示す代わりに、あるいは距離とともに、徒歩で何分かかるかの概略の時間を表示してもよい。
【００４３】
出力情報の表示形態は、図４に示したものに限定されない。優先度の高いＰＯＩをより強調表示してもよい。強調表示の具体例としては、例えば、表示サイズを大きくしたり、目立ちやすい色や文字装飾で表示したり、特別な指標（マークなど）を追加してもよい。
このように、優先度に応じて、表示サイズや表示装飾、表示色のいずれかを変えたり、あるいは指標の有無で区別してもよい。図５は、最寄り駅から最も近い金融機関の場所に３つの星マークを、２番目に近い金融機関の場所に２つの星マークを、３番目に近い金融機関の場所に１つの星マークを付ける例を示している。
【００４４】
出力情報の表示形態を優先度に基づいて変更する処理は、サーバ３内の出力情報生成部２５で行われる。あるいは、出力情報を端末装置２で受け取った後、端末装置２内で優先度に基づいて出力情報の表示形態を変更して表示させてもよい。
【００４５】
このように、第１の実施形態では、推奨経路周辺の対象箇所のすべてについてＰＯＩをまとめて横断的に検索するため、各ステーションごとに個別にＰＯＩを検索するよりも、短時間で多くのＰＯＩを検索でき、ユーザも各ステーションごとにＰＯＩの検索を指定しなくて済むため、ユーザの手間も省ける。横断的にＰＯＩを検索することで、検索されたＰＯＩの中から最適なＰＯＩを選択しやすくなる。したがって、ユーザは、例えば推奨経路からのずれの最も少ないＰＯＩを迅速かつ的確に検索できるようになる。特に、本実施形態では、推奨経路上の乗換ステーションを対象箇所として決定してＰＯＩを検索できるため、乗換ステーションの周辺のＰＯＩをユーザに提供でき、ユーザの利便性が向上する。すなわち、本実施形態によれば、ユーザが乗換ステーションで乗物から降車する際にＰＯＩに立ち寄ることができ、ユーザは手間と時間をかけずにＰＯＩに立ち寄ることができる。
【００４６】
（第２の実施形態）
以下に説明する第２の実施形態では、ＰＯＩ検索の条件をユーザが指定するものである。
【００４７】
図６は本発明の第２の実施形態による情報処理システム１の概略構成を示すブロック図である。図６の情報処理システム１は、端末装置２内に候補表示部１８と、候補選択部１９と、ＰＯＩ検索条件指定部２０とが新たに追加されている点で図１の端末装置２と異なっており、サーバ３の内部構成は図１のサーバ３と同様である。
【００４８】
候補表示部１８は、ＰＯＩ検索部２４がＰＯＩを検索するための所定の条件となりうる複数の候補を表示する。候補選択部１９は、候補表示部１８が表示した複数の候補の中から一つを選択する。候補選択部１９は、ユーザが表示画面に表示された複数の候補のボタンのいずれかをタッチすることで、タッチした候補を選択する。
【００４９】
ＰＯＩ検索条件指定部２０は、候補選択部１９が選択した候補に基づいて、サーバ３内のＰＯＩ検索部２４がＰＯＩを検索するための所定の条件を指定する。ここで、所定の条件とは、特定の施設や場所、乗物名等を選択するための条件でもよいし、施設や場所、乗物等を包括的に選択するための条件でもよい。また、経路探索部２３で探索された推奨経路から所定距離内を条件としてもよいし、推奨経路に所定時間内に戻れることを条件としてもよい。
【００５０】
なお、ユーザによるＰＯＩの検索条件の指定方法は、任意でよいため、候補表示部１８と候補選択部１９を設けずに、ユーザが操作入力部１２を介して直接ＰＯＩの検索条件を入力してもよい。
【００５１】
図７はＰＯＩ検索条件指定部２０の具体例を示す図である。図７の例では、端末装置２の表示画面内に、ＰＯＩを検索するための所定の条件を指定する複数のボタンを表示している。例えば、ユーザがグルメ・ボタンＢ４をタッチすると、飲食店が所定の条件として指定される。また、ホテル・ボタンＢ５をタッチすると、宿泊施設が所定の条件として指定される。また、カフェ・ボタンＢ６をタッチすると、喫茶店（カフェ）が所定の条件として指定される。また、その他ボタンＢ７をタッチすると、飲食店、宿泊施設および喫茶店以外の施設が所定の条件として指定される。
【００５２】
なお、図７の各ボタンは階層化されていてもよい。すなわち、図７のいずれかのボタンをタッチすると、さらに細かい選択ボタンを複数表示し、ユーザにより詳細な条件を指定させてもよい。
【００５３】
ＰＯＩ検索条件指定部２０が指定した条件は、通信部１１を介してサーバ３に送信される。サーバ３は、ＰＯＩ検索条件指定部２０が指定した条件に基づいて、対象箇所におけるＰＯＩを検索する。
【００５４】
上述したように、ＰＯＩ検索条件指定部２０が指定するＰＯＩの検索条件は、具体的な商品名、サービス名、店舗名、または施設名などで指定される条件でもよいし、包括（上位概念）的な商品名、サービス名、店舗名、または施設名などのカテゴリ別で指定される条件でもよい。ユーザがＰＯＩの検索条件を容易に指定できるように、端末装置２の表示画面に表示される推奨経路の周辺の施設等をタッチすると、その施設等に関連した検索条件を入力するメニュー等を表示してもよい。あるいは、検索条件を入力するためのアイコンやボタン、リンクなどを表示してもよい。また、音声入力にてＰＯＩの検索条件を指定できるようにしてもよい。さらに、指定したＰＯＩの検索条件をサーバ３に送信する際に、推奨経路の情報を対応づけてサーバ３に送信してもよい。あるいは、サーバ３から端末装置２に送信した推奨経路の履歴情報をサーバ３側で管理しておけば、端末装置２からＰＯＩの検索条件をサーバ３に送信する際には、推奨情報をサーバ３に送信する必要はない。
【００５５】
このように、第２の実施形態では、端末装置２にてＰＯＩの検索条件をユーザが指定できるため、ユーザの希望するＰＯＩを迅速かつ横断的に検索できる。
【００５６】
（第３の実施形態）
以下に説明する第３の実施形態では、経路情報に関連する経路関連情報の一例である広告情報に基づいてＰＯＩ検索を行うものである。
【００５７】
図８は本発明の第３の実施形態による情報処理システム１の概略構成を示すブロック図である。図８の情報処理システム１は、図６と比べて、サーバ３に広告情報生成部２９が追加されており、また、サーバ３内の記憶部２２には広告情報データベース３０が設けられている。
【００５８】
サーバ３内の広告情報生成部２９は、経路探索部２３が経路探索を行って生成した推奨経路を含む経路情報に関連する広告情報を生成する。例えば、推奨経路の周辺に広告情報を提供する特定の店舗が存在する場合には、広告情報生成部２９は、その広告情報を推奨経路に関連づけて生成する。図８のサーバ３内の記憶部２２には、広告情報データベース３０が設けられている。この広告情報データベース３０には、特定の場所の店舗等に対応づけて広告情報が格納されている。広告情報生成部２９は、経路探索部２３が推奨経路を生成すると、その推奨経路の周辺にある店舗の広告情報が広告情報データベース３０にあるか否かを検索し、必要に応じて広告情報データベース３０から広告情報を取得して、推奨経路に関連づけた広告情報を生成する。
【００５９】
広告情報は、経路探索部２３が経路探索をして得た経路情報とともに、通信部２１を介して端末装置２に送信される。端末装置２内の出力部１３は、広告情報を含む経路情報を表示画面に表示させる。広告情報は期間限定の情報を含んでいてもよい。例えば、「コンビニエンスストアＡでおにぎり３０円引き」や「店舗Ｂでポイント１０倍」などの期間限定の情報付きの広告情報を端末装置２の表示画面に表示させてもよい。また、推奨経路上に複数の広告情報があり、端末装置２の表示画面に全ての広告情報を表示させるスペースがない場合は、予めサーバ３内の広告情報データベース３０で、各広告情報に優先順位を付けて管理し、優先順位の高い広告情報から順に端末装置２に提供してもよい。
【００６０】
図９は端末装置２における広告情報を含む経路情報の表示画面例を示す図である。図９の表示画面には、推奨経路と、広告情報４０とが含まれている。図９の広告情報４０は、「エースコンビニ」という名称のコンビニエンスストアのバナー広告の例を示しているが、広告情報の表示形態は図９に示したものに限定されない。
【００６１】
ユーザが表示画面上の広告情報４０をタッチすると、ＰＯＩ検索条件指定部２０は、ユーザがタッチした広告情報４０をＰＯＩの検索条件として指定し、通信部１１を介してサーバ３に送信する。サーバ３内のＰＯＩ検索部２４は、ユーザがタッチした広告情報４０に関連するＰＯＩを検索する。
【００６２】
図１０は図９の広告情報４０をユーザがタッチした後に端末装置２の表示画面に表示される出力情報の一例を示す図である。図１０は、ユーザがタッチした広告情報がコンビニエンスストアの例を示している。図１０の例では、推奨経路の周辺に存在するすべてのコンビニエンスストアの所在地情報が、推奨経路の進行方向に合わせて順に表示されている。また、推奨経路に近い距離のコンビニエンスストアと推奨経路から遠い距離のコンビニエンスストアとがある場合には、近い距離のコンビニエンスストアを優先して表示するなど、ＰＯＩに優先度をつけて、ユーザが優先度を容易に把握できるような表示形態で各ＰＯＩを表示させるのが望ましい。
【００６３】
また、広告情報データベース３０が広告情報とともにクーポン情報も格納している場合には、各ＰＯＩ情報を表示する際に、クーポン情報も合わせて表示してもよい。
【００６４】
図１０は、ＰＯＩの一例であるコンビニエンスストアをリスト形式で表示する例を示したが、リスト形式でなく、推奨経路を含む地図情報の中に、ＰＯＩの情報（マークや店舗ロゴなど）を重畳して表示してもよい。
【００６５】
なお、図８〜図１０では、経路情報に関連する広告情報を生成してユーザに提供する例を示したが、経路情報に関連する情報すなわち経路関連情報は、必ずしも広告情報に限定されない。例えば、経路関連情報は、推奨経路上の各場所の天気、温度、湿度などの環境情報でもよいし、推奨経路上の各場所の観光案内情報でもよいし、その他の種々の情報でもよい。このように、図８の広告情報生成部２９は、何らかの経路関連情報を提供する経路関連情報生成部に置換可能である。
【００６６】
このように、第３の実施形態では、推奨経路とともに広告情報を表示し、端末装置２のユーザが広告情報をタッチすると、その広告情報を自動的にＰＯＩの検索条件として指定して、サーバ３でＰＯＩを検索するため、ユーザが明示的にＰＯＩの検索条件を指定しなくて済み、ユーザの手間が省ける。
【００６７】
（第４の実施形態）
以下に説明する第４の実施形態は、ユーザの過去の行動履歴に基づいてＰＯＩの検索条件を自動的に設定するものである。
【００６８】
図１１は本発明の第４の実施形態による情報処理システム１の概略構成を示すブロック図である。図１１の情報処理システム１は、図１と比べて、サーバ３内の記憶部２２に顧客情報データベース（行動履歴蓄積部）３１が追加されるとともに、端末装置２内ではなくサーバ３内にＰＯＩ検索条件指定部３２が設けられている。
【００６９】
顧客情報データベース３１は、端末装置２の所持者である個々のユーザの行動履歴を蓄積する。ここで、行動履歴とは、ユーザが過去に指定したＰＯＩの検索条件の履歴情報や、ユーザが過去に購入した商品やサービスの履歴情報や、ユーザが過去に訪問（または乗車）した場所（または乗物）の履歴情報などである。
【００７０】
ＰＯＩ検索条件指定部３２は、顧客情報データベース３１を検索して過去のユーザの行動履歴を取得し、ユーザの行動履歴に基づいてＰＯＩの検索条件を設定する。
【００７１】
なお、ＰＯＩ検索条件指定部３２は、端末装置２側に設けられていてもよい。この場合、顧客情報データベース３１から取得されたユーザの行動履歴情報は、サーバ３から通信部２１を介して端末装置２に送信され、この行動履歴情報を参照して、端末装置２内のＰＯＩ検索条件指定部がＰＯＩの検索条件を指定することになる。
【００７２】
図１２は第４の実施形態による情報処理システム１の処理動作を示すフローチャートである。ステップＳ１１〜Ｓ１３は図２のステップＳ１〜Ｓ３と同様であり、ユーザが端末装置２にて入力した経路探索の条件に基づいて、サーバ３にて経路探索を行って、推奨経路を含む経路情報を生成する。次に、サーバ３内のＰＯＩ検索条件指定部３２は、顧客情報データベース３１を検索して、過去のユーザの行動履歴に基づいてＰＯＩの検索条件を指定する（ステップＳ１４）。
【００７３】
その後、ユーザが端末装置２にてＰＯＩ検索の要求を行うと、サーバ３は、ステップＳ１４で指定されたＰＯＩの検索条件に基づいてＰＯＩ検索を行って、ＰＯＩを検索する（ステップＳ１９）。その後は、図２のステップＳ８〜Ｓ１０と同様の処理を行う（ステップＳ１９〜Ｓ２２）。
【００７４】
このように、第４の実施形態では、各ユーザの行動履歴をサーバ３で管理しておくため、行動履歴に基づいて各ユーザに最適なＰＯＩの検索条件を自動的に指定できる。よって、第３の実施形態と同様に、ユーザが明示的にＰＯＩの検索条件を指定しなくて済み、ユーザの手間が省ける。
【００７５】
（第５の実施形態）
上述した第１〜第４の実施形態では、ＰＯＩ検索部２４で検索したＰＯＩを含む出力情報をサーバ３から端末装置２に送信して、この出力情報を端末装置２の表示画面に表示させる例を示したが、ＰＯＩを含む出力情報は、ＰＯＩに立ち寄った場合の経路情報を含んでいてもよい。すなわち、サーバ３は、ＰＯＩに立ち寄らない場合の経路情報とＰＯＩに立ち寄った場合の経路情報とを端末装置２に提供してもよい。
【００７６】
図１３は図２のフローチャートに、ＰＯＩに立ち寄った場合の経路情報の生成と提供の処理を追加したものである。図１３では、図２と共通する処理には同一のステップ番号を付している。図１３では、ステップＳ８でＰＯＩ検索を行ってＰＯＩが検索された後に、検索されたＰＯＩに立ち寄った場合の経路探索を行って、修正された推奨経路を検出する（ステップＳ３１）。本明細書では、このように修正された推奨経路を立ち寄り経路と呼ぶ。
【００７７】
このステップＳ３１では、ステップＳ８で複数のＰＯＩが検索された場合は、各ＰＯＩに別個に立ち寄った場合の複数の立ち寄り経路を検出する。例えば、ステップＳ３１では、ステップＳ３の経路探索で得られた経路情報との間で、到着時刻および運賃の少なくとも一つが所定値以下になる立ち寄り経路を検出する。このステップＳ３１の処理は、立ち寄り経路情報生成手段に対応する。
【００７８】
立ち寄り経路は、ＰＯＩの情報とともに、出力情報に含めてサーバ３から端末装置２に送信される。端末装置２内の出力部１３は、出力情報に含まれるＰＯＩ情報を表示し（ステップＳ１０）、その中からユーザがいずれかのＰＯＩを選択すると（ステップＳ３２）、選択したＰＯＩに立ち寄った場合の立ち寄り経路を表示する（ステップＳ３３）。
【００７９】
図１３では、第１の実施形態による図２の処理動作にステップＳ３１〜Ｓ３３を追加した例を示したが、第２〜第４の実施形態による処理動作にステップＳ３１〜Ｓ３３と同様の処理を追加してもよい。
【００８０】
このように、第５の実施形態では、検索されたＰＯＩに立ち寄った場合の立ち寄り経路を検索してユーザに提供するため、ユーザはＰＯＩに立ち寄った場合の経路を迅速に把握でき、ＰＯＩに立ち寄るべきか否かを的確に判断できるようになる。
【００８１】
上述した実施形態で説明した情報処理システム１の少なくとも一部は、ハードウェアで構成してもよいし、ソフトウェアで構成してもよい。ソフトウェアで構成する場合には、情報処理システム１の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００８２】
また、情報処理システム１の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００８３】
さらに、１または複数の情報処理装置によって情報処理システム１を機能させてもよい。
複数の情報処理装置を用いる場合、情報処理装置のうちの１つをコンピュータとし、当該コンピュータが所定のプログラムを実行することにより情報処理システム１の少なくとも１つの手段として機能が実現されてもよい。
【００８４】
上記の記載に基づいて、当業者であれば、本発明の追加の効果や種々の変形を想到できるかもしれないが、本発明の態様は、上述した個々の実施形態に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【００８５】
１  情報処理システム１、２  端末装置、３  サーバ、４  ネットワーク、１１  通信部、１２  操作入力部、１３  出力部、１４  測位部、１５  経路情報取得部、１６  ＰＯＩ検索箇所決定部、１７  制御部、２１  通信部、２２  記憶部、２３  経路探索部、２４  ＰＯＩ検索部、２５  出力情報生成部、２６  制御部、２７  地図データベース、２８  交通関連情報データベース
【図１】
2020098215.tif 000003
【図２】
2020098215.tif 000004
【図３】
2020098215.tif 000005
【図４】
2020098215.tif 000006
【図５】
2020098215.tif 000007
【図６】
2020098215.tif 000008
【図７】
2020098215.tif 000009
【図８】
2020098215.tif 000010
【図９】
2020098215.tif 000011
【図１０】
2020098215.tif 000012
【図１１】
2020098215.tif 000013
【図１２】
2020098215.tif 000014
【図１３】
2020098215.tif 000015
【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
少なくとも公共交通機関を利用した乗換経路情報を取得する経路情報取得手段と、
前記乗換経路情報に基づいて、追加の運賃が発生しないＰＯＩ（Point Of Interest）を検索するＰＯＩ検索手段と、
検索された前記ＰＯＩを含む出力情報を生成する出力情報生成手段と、を備えることを特徴とする情報処理システム。
【請求項２】
前記追加の運賃が発生しないＰＯＩは、定期区間内のＰＯＩを含むことを特徴とする請求項１に記載の情報処理システム。
【請求項３】
前記ＰＯＩ検索手段は、さらにユーザの顧客情報に基づいて、前記ＰＯＩを検索することを特徴とする請求項１又は２に記載の情報処理システム。
【請求項４】
前記出力情報生成手段は、前記乗換経路情報に含まれる目的地までの到着時間のずれが少ない順と、目的地までの運賃が安い順と、乗換回数の少ない順と、現在時刻および開業時間を考慮に入れた順と、の少なくとも一つ又はその組み合わせで、前記ＰＯＩを並べて前記出力情報を生成することを特徴とする請求項１乃至３のいずれか一項に記載の情報処理システム。
【請求項５】
前記出力情報生成手段は、前記ＰＯＩ検索手段で検索された前記ＰＯＩを、優先度に基づいて表示形態を相違させた前記出力情報を生成することを特徴とする請求項１乃至４のいずれか一項に記載の情報処理システム。
【請求項６】
前記表示形態の相違は、表示サイズの変更、表示装飾の変更、表示色の変更、および特定の指標の追加表示の少なくとも一つを含むことを特徴とする請求項５に記載の情報処理システム。
【請求項７】
コンピュータを、
少なくとも公共交通機関を利用した乗換経路情報を取得する経路情報取得手段、
前記乗換経路情報に基づいて、追加の運賃が発生しないＰＯＩ（Point Of Interest）を検索するＰＯＩ検索手段、
及び検索された前記ＰＯＩを含む出力情報を生成する出力情報生成手段として機能させるための情報処理プログラム。
【請求項８】
通信可能に接続された複数の情報処理装置によって、請求項１〜６のいずれかに記載の情報処理システムを機能させるために、
上記情報処理装置のうちの１つを請求項１〜６のいずれかに記載の情報処理システムにおける各手段の少なくとも１つとして機能させるための情報処理プログラム。
【請求項９】
コンピュータを、請求項１〜６のいずれかに記載の情報処理システムにおける各手段の少なくとも１つとして機能させるための情報処理プログラム。
【請求項１０】
通信可能に接続された複数の情報処理装置によって、
少なくとも公共交通機関を利用した乗換経路情報を取得する経路情報取得手段と、
前記乗換経路情報に基づいて、追加の運賃が発生しないＰＯＩ（Point Of Interest）を検索するＰＯＩ検索手段と、
検索された前記ＰＯＩを含む出力情報を生成する出力情報生成手段と、
を備えた情報処理システムを構成するために、
上記手段の少なくとも一つを備えたことを特徴とする情報処理装置。
【請求項１１】
少なくとも公共交通機関を利用した乗換経路情報を取得するステップと、
前記乗換経路情報に基づいて、追加の運賃が発生しないＰＯＩ（Point Of Interest）を検索するステップと、
検索された前記ＰＯＩを含む出力情報を生成するステップと、を備えたことを特徴とする情報処理方法。
【請求項１２】
少なくとも公共交通機関を利用した乗換経路情報を生成する経路探索手段と、
前記乗換経路情報に基づいて追加の運賃が発生しないＰＯＩ（Point Of Interest）を検索するＰＯＩ検索手段と、
検索された前記ＰＯＩを含む出力情報を生成する出力情報生成手段と、
前記経路情報および前記出力情報を端末装置に送信する通信手段と、
を備えたことを特徴とする情報処理装置。